(57)【要約】【課題】ＩＰ網に接続される回線収容装置の予備基板の切換が速やで収容接続管理装置とＩＰ網の容量に負担をかけない回線収容接続システムおよび切換方法を提供する。【解決手段】収容接続管理装置２の監視制御部２２は、回線収容装置３の各回線収容基板３１（＃１〜＃Ｎ１）の動作を監視し、異常を検出した回線収容基板３１（＃１）がパケット処理に用いているデータを収容接続管理装置２がローカルＩＰ網４を介して中継すること無く、予備基板である回線収容基板３１（＃Ｎ＋１）へレイヤ２スイッチを介して回線収容装置３内部で転送してデータをコピーさせることにより切換のスタンバイをさせる。そして、コピー完了次第回線系統と信号を入出力する運用基板を回線収容基板３１（＃１）から回線収容基板３１（＃Ｎ＋１）に切り換える。【選択図】図１
2008311778.tif 000002
【特許請求の範囲】
【請求項１】
ＩＰ網に接続される回線収容装置とその監視制御を行う収容接続管理装置とを備え、前記回線収容装置が電話の回線系統を収容してパケットにした信号を前記ＩＰ網との間で送受信する回線収容接続システムにおいて、
前記ＩＰ網に接続され、パケットの入出力先を制御するレイヤ２スイッチと、基板それぞれが固有の識別情報を有して所定の単位チャネル数の割当てられた電話の回線系統との間のインタフェースを行い、前記電話の各チャネルの信号に送受信アドレスが付与されたパケット処理をして前記レイヤ２スイッチを介して前記収容接続管理装置との間で入出力する回線収容基板の枚数Ｎの合計が所要のチャネル容量となる運用基板と少なくとも１枚の予備基板とを備える回線収容装置と、
前記ＩＰ網を介して前記回線収容装置との間で前記収容された信号のパケットを送受信するハブ手段と、
前記回線収容装置の前記レイヤ２スイッチを介して前記ハブ手段と各前記回線収容基板との間で前記入出力されるパケットのデータを監視して異常を検出した前記運用基板を前記識別情報から特定して予備基板へ切換える場合、その切換に先立ち、前記検出された運用基板が記憶する前記パケット処理に係わるデータを前記レイヤ２スイッチを介して前記予備基板へ内部転送してコピーするコマンドを両基板へ送信し、前記データのコピーが完了した応答を前記予備基板から受信次第、前記予備基板を運用基板として動作させる制御を行う監視制御手段とを備える収容接続管理装置とを
具備したことを特徴とする回線収容接続システム。
【請求項２】
複数の回線収容基板とレイヤ２スイッチとを備えてＩＰ網に接続され、収容する電話の回線系統の信号をパケット化し、そのパケットを前記レイヤ２スイッチを介して前記ＩＰ網との間で入出力する回線収容装置と、前記回線収容装置が接続されるＩＰ網との間での前記パケット信号の送受信に係わる制御を行う収容接続管理装置とを備えた回線収容・接続システムの予備切換方法において、
前記回線収容基板は、
それぞれの基板固有の識別情報を有して１枚あたり所定の単位チャネル数の割当てられた電話の回線系統との間のインタフェースを行い、各チャネルの信号に送受信アドレスが付与されたパケットを自分のモニタ情報と共に前記レイヤ２スイッチとの間で入出力する合計Ｎ枚の運用基板が所要のチャネル数の電話の回線系統を収容して前記ＩＰ網を介して前記収容接続管理装置との間で送受信すると共に少なくとも１枚がスタンバイする予備基板となり、
前記収容接続管理装置は、
ハブとなって前記ＩＰ網と前記レイヤ２スイッチを介して各前記回線収容基板との間で前記収容する信号のパケットを送受信し、
各前記回線収容基板との間で前記送受信するパケットのデータを監視して異常を検出した場合、
前記異常が検出された運用基板を前記識別情報から特定し、前記特定された基板を前記予備基板へ切換るのに先立ち、前記異常が検出された運用基板が記憶する前記パケット化に係わるデータを前記レイヤ２スイッチを介して前記予備基板へ内部転送してコピーするコマンドを両基板へ送信し、前記データのコピーの完了応答を前記予備基板から受信次第、前記予備基板を前記異常が検出された運用基板に切換えて動作させる制御を行う
ことを特徴とする回線収容接続システムの予備切換方法。
【請求項３】
前記内部転送されるデータ、およびその転送先となる前記予備基板のアドレス情報が、予め各前記運用基板に設定され、
前記コピーするコマンドを受信次第、前記特定された前記運用基板は、前記設定されたアドレス情報を送信先として前記レイヤ２スイッチを介して前記内部転送されるデータを送信することを特徴とする請求項２記載の回線収容接続システムの予備切換方法。
【発明の詳細な説明】
【技術分野】
【０００１】
本発明は、複数の回線を収容してインターネット網に接続する回線収容接続システムおよび回線収容装置の予備切換方法に関する。
【背景技術】
【０００２】
近年、インターネットによる通信が社会のインフラ基盤となり、電話通信でもその基幹通信網が回線交換の電話網から、インターネットによるＩＰ（インターネットプロトコル）網へと移り変わりつつある。しかしながら、家庭や携帯電話の如くエンドユーザ及び法人ユーザでも、これまで通りの電話機材や既存回線が使用されている。そのため、電話（インタフェースによる）回線、又は既存回線等をＩＰ網へ接続するには、電話回線を収容してＩＰへのインタフェース変換する回線収容装置が必要である。
【０００３】
電話回線は、基幹網へ多重ハイアラーキー構成を取るなど複数の回線を纏めて収容しており、ＩＰ網への接続も電話網での収容単位毎に纏めてＩＰ網へ接続すると都合が良い。
【０００４】
図５は、従来の回線収容接続システムの構成を説明する系統図である。  
図５において、回線収容接続システムは、基幹ＩＰ網１００、収容・接続管理装置２００、複数の回線収容装置３００Ａ〜３００Ｎ（以下、各回線収容装置に共通な事項を説明する場合、回線収容装置３００と省略する。）と、ローカルＩＰ網４００を備えている。
【０００５】
回線収容装置３００は、各種の電話信号をＩＰ化するインタフェース変換装置であり、例えば、回線収容装置３００Ａは、電話の公衆網の複数の系統信号を収容し、回線収容装置３００Ｂは、専用線網、回線収容装置３００Ｃは、携帯電話の様な無線端末と通信する基地局の系統の信号を収容するなど、回線終端での物理的インタフェース変換を行ってＩＰパケット化する。そしてパケット化された信号は、ローカルなＩＰ網４００を経て収容・接続管理装置２００と接続される。この回線収容装置３００は、例えば、回線収容装置の１枚の基板でＭ（例えば、８）チャネル回線を収容する回路基板３０１がＮ（例えば、１６）枚で１つのグループとなり、更に予備の基板１つとが組み合わされた（Ｎ＋１、ここでは１６＋１）構成となっている。
【０００６】
運用中の基板を予備の基板と切り換えるのは、切換手段３０２によって行われ、切換手段３０２は、ローカルＩＰ網４００を介して接続される収容・接続管理装置２００によって更に切換先。および切換タイミング等が制御される。
【０００７】
収容・接続管理装置２００は、これら各種の回線収容装置３００を収容するハブ手段２１０と、各回線収容装置３００を監視制御し、そのモニタ信号を監視して必要に応じて回線収容装置３００の内部で使用される回路基板３０１を予備系と切り換える制御を行う監視制御手段２２０とを備えている。
【０００８】
監視制御手段２２０は、ハブ手段２１０を介して基板故障の切換時には、切り換えられる運用中の基板の動作設定やモニタ等のデータをローカルＩＰ網４００を介して取得する。そして記憶手段に保存し、そのデータを予備基板でコピーして使用するために自装置の記憶手段（図示せず。）から読み出して予備基板へ再送信しているが、データは高速に転送されなければならない。高速なデータ転送は、例えば、キャッシュディスクを用いて被監視基板のデータを収容するなどの方法が取られている（例えば、特許文献１。）。
【０００９】
しかし、この様に収容・接続管理装置２００と各回線収容装置３００との間でハブ手段２１０を介して予備基板との切換に必要なモニタ等のデータを高速で転送するのでローカルＩＰ網４００の回線容量を消費し、また監視制御手段２２０のリソース負担が大きくなる問題が有った。
【特許文献１】特開２００６−１５５２０２号公報  （第１９頁、第１図）
【発明の開示】
【発明が解決しようとする課題】
【００１０】
従来の回線収容接続システムは、収容接続管理装置と各回線収容装置との間でハブ手段を介して予備基板との切換に必要なモニタ等のデータを高速で転送するので回線容量を消費し、また制御手段のリソース負担が大きくなる問題があった。
【００１１】
本発明は、上記問題を解決するためになされたもので、回線収容装置の基板切換を速やかに、かつ収容・接続管理装置と回線容量に負担をかけない回線収容接続システムおよび回線収容装置の予備切換方法を提供することを目的とする。
【課題を解決するための手段】
【００１２】
上記目的を達成するために、本発明の回線収容接続システムは、ＩＰ網に接続される回線収容装置とその監視制御を行う収容接続管理装置とを備え、前記回線収容装置が電話の回線系統を収容してパケットにした信号を前記ＩＰ網との間で送受信する回線収容接続システムにおいて、前記ＩＰ網に接続され、パケットの入出力先を制御するレイヤ２スイッチと、基板それぞれが固有の識別情報を有して所定の単位チャネル数の割当てられた電話の回線系統との間のインタフェースを行い前記電話の各チャネルの信号に送受信アドレスが付与されたパケット処理をして前記レイヤ２スイッチを介して前記収容接続管理装置との間で入出力する回線収容基板枚数Ｎの合計が所要のチャネル容量となる運用基板と少なくとも１枚の予備基板とを備える回線収容装置と、前記ＩＰ網を介して前記回線収容装置との間で前記収容された信号のパケットを送受信するハブ手段と、前記回線収容装置の前記レイヤ２スイッチを介して前記ハブ手段と各前記回線収容基板との間で前記入出力されるパケットのデータを監視して異常を検出した前記運用基板を前記識別情報から特定して予備基板へ切換える場合、その切換に先立ち、前記検出された運用基板が記憶する前記パケット処理に係わるデータを前記レイヤ２スイッチを介して前記予備基板へ内部転送してコピーするコマンドを両基板へ送信し、前記データのコピーが完了した応答を前記予備基板から受信次第、前記予備基板を運用基板として動作させる制御を行う監視制御手段とを備える収容接続管理装置とを具備したことを特徴とする。
【００１３】
また、本発明の回線収容接続システムの予備切換方法は、複数の回線収容基板とレイヤ２スイッチとを備えてＩＰ網に接続され、収容する電話の回線系統の信号をパケット化し、そのパケットを前記レイヤ２スイッチを介して前記ＩＰ網との間で入出力する回線収容装置と、前記回線収容装置が接続されるＩＰ網との間での前記パケット信号の送受信に係わる制御を行う収容接続管理装置とを備えた回線収容・接続システムの予備切換方法において、前記回線収容基板は、それぞれの基板固有の識別情報を有して１枚あたり所定の単位チャネル数の電話の回線系統との間のインタフェースを行い、各チャネルの信号に送受信アドレスが付与されたパケットを自分のモニタ情報と共に前記レイヤ２スイッチとの間で入出力する合計Ｎ枚の運用基板が所要のチャネル数の電話の回線系統を収容して前記ＩＰ網を介して前記収容接続管理装置との間で送受信すると共に少なくとも１枚がスタンバイする予備基板となり、前記収容接続管理装置は、ハブとなって前記ＩＰ網と前記レイヤ２スイッチを介して各前記回線収容基板との間で前記収容する信号のパケットを送受信し、各前記回線収容基板との間で前記送受信するパケットのデータを監視して異常を検出した場合、前記異常が検出された運用基板を前記識別情報から特定し、前記特定された基板を前記予備基板へ切換るのに先立ち、前記異常が検出された運用基板が記憶する前記パケット化に係わるデータを前記レイヤ２スイッチを介して前記予備基板へ内部転送してコピーするコマンドを両基板へ送信し、前記データのコピーの完了応答を前記予備基板から受信次第、前記予備基板を前記異常が検出された運用基板に切換えて動作させる制御を行うことを特徴とする。
【発明の効果】
【００１４】
本発明によれば、回線収容装置の基板切換を速やかに、かつ収容接続管理装置と回線容量に負担をかけない回線収容接続システムおよび回線収容装置の予備切換方法を提供することが出来る。
【発明を実施するための最良の形態】
【００１５】
以下、図面を参照して本発明の実施例を説明する。
【実施例】
【００１６】
図１は、本発明の実施例に係わる回線収容接続システムの構成を説明する系統図である。  
図１において、回線収容接続システムは、基幹ＩＰ網１、収容接続管理装置２、複数の回線収容装置３Ａ〜３Ｎ（以下、各回線収容装置に共通な事項を説明する場合、回線収容装置３と省略する。）と、ローカルＩＰ網４とを備えている。
【００１７】
回線収容装置３は、各種の電話信号をＩＰ化するインタフェース変換装置であり、例えば回線収容装置３Ａは、電話の公衆網の複数の系統信号を収容し、回線収容装置３Ｂは、専用線（網）、回線収容装置３Ｃは、携帯電話の様な無線端末と通信する基地局の系統の信号を収容するなど、回線終端での物理的インタフェース変換を行ってＩＰパケット化する。
【００１８】
そしてパケット化された信号は、ローカルなＩＰ網４を経て収容・接続管理装置２と接続される。この回線収容装置３は、例えば、回線収容装置の１枚の基板でＭ（例えば、８）チャネルの回線を収容する回線収容基板３１がＮ（例えば、１６）枚で１つのグループとなり、更に予備１枚とが組み合わされた（Ｎ＋１）構成であって、その回線収容基板３１とローカルＩＰ網との間の信号入出力するレイヤ２スイッチ３２とを備えている。
【００１９】
収容接続管理装置２は、これら各種の回線収容装置３をローカルＩＰ網４を介して収容し、基幹ＩＰ網１へ接続するハブ部２１と、各回線収容装置３をハブ部２１とローカルＩＰ網４とを介して監視制御し、そのモニタ信号を監視して必要に応じて回線収容装置３の内部で使用される回線収容基板３１を運用基板から予備基板へと切り換える制御を行う監視制御部２２とを備えている。
【００２０】
監視制御部２２は、ハブ部２１を介して各回線収容装置３の全回線収容基板３１の動作設定やモニタ等のデータを取得して記憶手段に保存している。運用基板を予備基板と切り換える際には、切換えられる運用基板の回線収容動作に関わるデータを予備基板へレイヤ２スイッチ３２を回線収容装置３内で内部転送し、従来と異なり、監視制御部２２がローカルＩＰ網４と収容接続管理装置２とを介して予備基板に向けて中継することはしない。
【００２１】
即ち、基板交換をする回線収容装置の内部でレイヤ２スイッチを介して運用基板から予備基板へデータを転送して回線収容動作に関わるデータのレプリカを作成するコピーを行うので、ローカルＩＰ網４のトラフィックを圧迫せず、また監視制御部２２の負荷を減らすことが出来る。そして、コピー完了後は予備基板がそれまでの運用基板に代替して動作し、ローカルＩＰ網４を介して監視制御部２２との間でパケットを送受信する。
【００２２】
図２は、回線収容装置３の内部構成を示す機能ブロック図である。  
図２において、回線収容装置３は、それぞれの間が内部バス等３Ｂで接続されている回線収容基板３１（＃１〜＃Ｎ、＃Ｎ＋１）と、レイヤ２スイッチ３２と、入力振分部３３とを備えている。
【００２３】
レイヤ２スイッチ３２は、ローカルＩＰ網４と各収容基板３１との間でパケットのアドレスを判読して行き先を選択するスイッチである。入力振分部３３は、公衆網系統、専用線などの回線系統との接続盤として機能する。
【００２４】
回線収容基板３１（＃１〜＃Ｎ、＃Ｎ＋１）は、収容接続管理装置２からの制御信号に従って、運用基板（Ｎ枚）と予備基板（１枚）とに設定される。各回線収容基板３１（＃１〜＃Ｎ、＃Ｎ＋１）は、レイヤ２スイッチ３２が各基板と、各回線系統のチャネルの信号を判別して行き先をＭＡＣレベルで制御出来るよう固有の識別情報とＩＰアドレスとを有している。
【００２５】
そして、各収容基板３１（＃１〜＃Ｎ）は、予め入力振分部３３を介して収容接続管理装置２によって運用基板として設定されるか、または、予め回線収容装置３の図示されない入力手段に初期設定されるか、もしくは、図示されない回線収容基板の冶工具等により初期設定される回線系統の信号を入出力し、更にレイヤ２スイッチ３２とローカルＩＰ網４とを介して収容接続管理装置２との間で送受信する収容処理（以下タスクと称する。）を行う。
【００２６】
また、各収容基板３１のタスクに関わるパケットの送受信先のアドレスや運用基板から呼び基板となる際のタスクのデータの転送先となる予備基板のＩＰアドレス指定も上記の初期設定で行われる。その結果、運用、予備の切替が速やかになり、また、ローカルＩＰ網４への負荷も減らすことが出来る。
【００２７】
図３は、回線収容基板３１の動作処理を説明する機能ブロック図である。  
図３において回線収容基板３１は、それぞれが基板内バス等３１Ｂで接続される、例えば、レイヤ２スイッチ３２と電話回線との物理的入出力インタフェースを司るＩＦ（インタフェース）部３１１、ＣＰＵ３１２、初期設定の情報やタスクに関わるデータを記憶するメモリ３１３と、インタフェース部３１１等の動作を自己診断するためのモニタや制御するデータを扱うＩＯ（入出力）部３１４とを備えている。
【００２８】
公衆網等の回線系統と入出力される信号は、ＩＦ部３１１でアナログ信号が、所定のＩＰパケット化され、回線収容装置３の内部バス等３Ｂ、又は、レイヤ２スイッチ３２の入出力ポートを介してレイヤ２スイッチ３２との間で入出力される。
【００２９】
また、ＩＦ部３１１は、入力振分部３３との間のインタフェースを行い、監視制御部２２によって自基板が運用基板に設定された場合、ＣＰＵ３１２の制御に従って、所定の回線系統との間がＯＮ状態になり、信号を入出力し、反対に、予備基板に設定された場合は、全ての回線系統との間がＯＦＦ状態になる。
【００３０】
なお、ＩＦ部３１１は、ここでは図を簡単にするため入力振分部３３とレイヤ２スイッチ３２との両方の入出力ポートを有し、内部バス３１Ｂとのインタフェース回路として表現しているが、両方の入出力ポートをそれぞれ分けた専用のインタフェースを行う独立した２種類の回路構成であっても良いことは言うまでもない。
【００３１】
レイヤ２スイッチ３２は、ローカルＩＰ網４を介して各収容基板３１（＃１〜＃Ｎ、＃Ｎ＋１）と収容接続管理装置２との間でＩＦ部３１１が入出力するＩＰ化された信号を送受信する他、収容接続管理装置２の監視制御部２２が入出力するコマンドやデータを送受信する。
【００３２】
各回線収容基板３１の各ＣＰＵ３１２は、レイヤ２スイッチ３２を介して監視制御部２２との間でタスクに関わるデータや自己診断のモニタデータを送信したり、監視制御部２２から送信される信号を受信し、自基板を運用基板とするか予備基板とするかの設定（切換）コマンドを監視する制御を行う。
【００３３】
また、運用基板である場合のＩＦ部３１１が信号を入出力する回線収容（タスク）に関わるデータや、レイヤ２スイッチ３２を介して送受信する各パケットのアドレス情報、ＩＯ部３１４が基板内バス等３１Ｂとの間で入出力するデータや自己診断のモニタデータ等の所定のデータをメモリ３１３との間で書込、読出する制御を行う。
【００３４】
各回線収容基板３１の各ＣＰＵ３１２は、レイヤ２スイッチ３２を介して監視制御部２２から自分宛に送信されるコマンド情報を監視する一方、現在の設定モードに応じて運用基板となって回線収容動作をするか、または、予備基板となって待機するかの動作制御を行う。
【００３５】
そして、自装置が切換の準備にあたるコピーコマンドを受信した場合、自分が運用基板である場合は、メモリ３１３から実行中のタスクに関わるデータ、および初期設定されたコピー先（転送先）である予備基板のアドレス情報を読み出してパケット化する。そして、そのデータのパケットをコピー先の予備基板３１（ここでは、＃Ｎ＋１とする。）へ向けてＩＦ部３２、レイヤ２スイッチ等を介して送信する。当該回線収容装置３のレイヤ２スイッチ３２は、そのコピーデータのパケットの送信先アドレス情報を読み取り、回線収容基板３１（＃Ｎ＋１）へ内部転送する。
【００３６】
なお、別の方法としてコピー先の予備基板のアドレス指定は、監視制御部２２、および運用基板でのアドレス処理手順が増えることを厭わなければ、コピーコマンドで監視制御部２２から指示されるようにしても良い。
【００３７】
一方、予備基板である回線収容基板３１（＃Ｎ＋１）は、同様にコピーコマンドを受信すると、レイヤ２スイッチ３２を介して内部転送されるデータをメモリ３１３に書き込むともに、コピーが完了するとデータレプリカが作成されたことを通知するコピー完了のモニタデータをレイヤ２スイッチ３２とローカルＩＰ網４とを介して監視制御部２２へ送信する。
【００３８】
監視制御部２２は、このコピー完了のモニタデータを受信次第、基板の動作設定コマンド、例えば、運用中の回線収容基板３１（＃１）に待機コマンド「ＳＴＢＹ」を、予備の回線収容基板３１（＃Ｎ＋１）に（動作コマンド「ＡＣＴ」を運用と予備との基板切換を切換えコマンドとして対にして送信する。
【００３９】
図４は、本発明の実施例における回線収容接続システムの切換動作の手順を説明するフローチャートである。  
収容接続管理装置２は、ハブ部２１とローカルＩＰ網４を介して各回線収容基板３１（例えば、＃１）が行うタスクの送受信データを監視し、また各回線収容基板３１の各ＣＰＵ３１２との間で、例えば、ポーリングによって通信を行いモニタ等のデータを受信する（ステップｓ１）。
【００４０】
通常これ等のデータは、収容接続管理装置２の図示されないロガー部で記憶保存され、監視制御部２２は、新たに受信するデータを基準値、またはデータロガー部に記憶保存されたデータと比較照合する等により異常が発生しないかを監視する（ステップｓ２）。
【００４１】
そして回線収容基板３１からの受信データから異常を検出したか、または、回線収容基板３１自身からの異常検出を通知するアラームのモニタデータを受信した（ステップｓ３がＹｅｓ）とする。
【００４２】
その場合、監視制御部２２は、ローカルＩＰ網４を介して回線収容基板３１（＃１）に対して自装置のメモリ３０Ｍが記憶するデータを読み出して予備の回線収容基板３１（＃Ｎ＋１）へ転送させ、予備の回線収容基板３１（＃Ｎ＋１）に対して転送されたデータを受信して自装置のメモリ３０Ｍへ書きこみ記憶させるコピーコマンドを送信し（ステップｓ４）、回線収容基板３１（＃Ｎ＋１）からの応答を監視する（ステップｓ９）。
【００４３】
前述の通り、コピー先の予備の回線収容基板３１（＃Ｎ＋１）のＩＰアドレスは、予め運用基板に記憶されているので、コピーコマンドは、コピーをするトリガ情報だけで簡単に済ませることが出来、内部転送によるコピーが行われるので、監視制御部２２とローカルＩＰ網４の負荷が軽くなる。
【００４４】
なお、予備の基板が、更に複数ある場合、その予備の回線収容基板３１（＃Ｎ＋２）のＩＰアドレスを転送先として予め選択して回線収容基板３１（＃１）に設定しても良いし、他の方法として、監視制御部２２が送信するコピーコマンド中に、回線収容基板３１（＃Ｎ＋２）のＩＰアドレスを回線収容基板３１（＃１）へコピーデータの送信先として指定して内部転送する処理を行っても良い。
【００４５】
運用基板である回線収容基板３１（＃１）のＣＰＵ３１２は、ローカルＩＰ網４からレイヤ２スイッチ３２を介してそのコピーコマンドを受信すると自分のメモリ３１３の内容を読み出し、その内容のデータをＩＦ部３１１を介して、回線収容装置３の内部バス等３Ｂ、又はレイヤ２スイッチの入出力ポートを介して指定された転送先の回線収容基板３１（＃Ｎ＋１）へ出力する（ステップｓ５）。この転送処理は、当該回線収容装置３内蔵のレイヤ２スイッチ３２を介してデータを運用基板から予備基板へバイパスして転送するものなのでローカルＩＰ網４に負担が掛からない。
【００４６】
また、予備基板である回線収容基板３１（＃Ｎ＋１）のＣＰＵ３１２は、同様にレイヤ２スイッチ３２を介して監視制御部２２からコピーコマンドを受信するとそれまでのスタンバイモードから、スタートアップモードへ入る（ステップｓ６）。
【００４７】
そして、内部バス３Ｂ、および自基板のＩＦ部３１１を経て回線収容基板３１（＃１）からレイヤ２スイッチ３２を介して内部転送されたコピーデータを受信すると、自基板内のメモリ３１３へ書込記憶（コピー）すると共に、ＩＯ部３１４を起動し、自分の状態のモニタを開始し、新たにメモリ３１３へ所定のタスクのデータの書込記憶を開始しＩＦ部３１１の回線系統の入力先を、それまでの回線収容基板３１（＃１）が接続（収容）していた回線（例えば、＃ａ〜＃ｈの８回線）に切り換える回線系統切換準備を行う（ステップｓ７）。
【００４８】
そして、書込記憶（コピー）の完了と回線系統切換準備とが終了するとローカルＩＰ網４を介して収容・接続管理装置２の監視制御部２２へ回線収容基板３１（＃１）の代替動作が可能、即ち切換準備が済んだことを告げる「レディ」応答を返送する（ステップｓ８）。
【００４９】
回線収容基板３１（＃Ｎ＋１）から「レディ」応答を受信した監視制御部２２は、コピーが完了したと判断して（ステップｓ１０がＹｅｓ）、回線収容装置３のレイヤ２スイッチ３２、及び両回線収容基板３１（＃１、＃Ｎ＋１）へ切換コマンド（前述の「ＳＴＢＹ」と「ＡＣＴ」）を送信する（ステップｓ１１）。
【００５０】
「切換」コマンドを受信した回線収容基板３１（＃Ｎ＋１）は、運用基板になり回線収容基板３１（＃１）に代わって回線系統＃ａ〜＃ｈの８回線から入出力するパケットをレイヤ２スイッチを介してローカルＩＰ網４との間で入出力する（ステップｓ１２）。
【００５１】
レイヤ２スイッチ２は、ローカルＩＰ網４を介して回線収容基板３１（＃Ｎ＋１）からの回線系統＃ａ〜＃ｈの８回線から入出力するパケットを監視制御部２２との間で中継する（ステップｓ１３）。そして、監視制御部２２は、回線収容基板３１（＃Ｎ＋１）が収容した回線を基幹ＩＰ網１との間で接続する処理を行う（ステップｓ１４）。
【００５２】
なお、上記「レディ」応答は、コピー完了のみで行い、上記ステップｓ７の回線系統切換準備の処理を「切換」コマンドを受信してから行うようにしても良い。
【００５３】
従来の切換方法では、回線収容基板３１（＃１）からのデータに異常を検出した場合、その回線収容基板３１（＃１）のメモリが記憶しているデータや、設定条件を一旦ローカルＩＰ網４を介して収容接続管理装置２の監視制御部２２が受信し、更にもう一度回線収容基板３１（＃Ｎ＋１）へ転送コピーしなければならなかった。その結果、ローカルＩＰ網４にトラフィックの負荷がかかるのみならずコピーするデータの転送に時間がかかり速やかな切換えの支障となっていた。
【００５４】
しかし、本発明の実施例では、監視制御部２２のリソース、およびローカルＩＰ網４に負荷を掛けること無く、予備の回線収容基板３１との切換が出来る。また、回線収容基板３のＣＰＵ３１２も、データのコピーや転送等に係わる処理も同一装置内で済み、ローカルＩＰ網４での伝送上の変動の影響も無いので負担が軽い。
【００５５】
なお、本発明は、上記説明の主旨を逸脱しない範囲で上記構成を適宜組み合わせた構成としても良い。例えば、上記説明では、ローカルＩＰ網と基幹ＩＰ網とを別に設けているが、基幹ＩＰ網がローカルＩＰ網を兼ねるもので在っても良い。この場合、小規模なシステムで有効であり、ローカルＩＰ網を構成するルータ等を準備する必要もなく、コストを節約出来、またネットワーク管理が容易になる。
【００５６】
また、上記構成では、予備用基板に運用基板と同じ仕様の基板を１枚準備しているが、予備基板は、更に複数枚在っても良い。この場合でも予備用の複数の基板はそれぞれ固有の識別情報、ＩＰアドレスを有するので、運用基板と代替先の予備基板との切換は説明された実施例と同様に実行される。この方法では、故障、異常に対するシステム維持能力が向上し、基板毎に現用予備の冗長構成を取る場合に比べて、故障基板に対して予備基板と差し替えるだけで済むので切換の管理が容易で且つコストがかからない利点がある。
【００５７】
また、上記説明では、交換単位の物理的構成を基板単位を例にして説明したが、基板でなくユニットや、シャーシレベルであっても本発明が適用可能なことは言うまでもない。
【図面の簡単な説明】
【００５８】
【図１】本発明の実施例に係わる回線収容接続システムの構成を説明する系統図。
【図２】回線収容装置の内部構成を示す機能ブロック図。
【図３】回線収容基板の動作処理を説明する機能ブロック図。
【図４】本発明の実施例における回線収容・接続システムの切換動作を説明するフローチャート。
【図５】従来の回線収容接続システムの構成を説明する系統図。
【符号の説明】
【００５９】
１  基幹ＩＰ網
２  収容接続管理装置
２１  ハブ部
２２  監視制御部
３  回線収容装置（３Ａ〜３Ｎ）
３１  回線収容基板
３１１  ＩＦ（インタフェース）部
３１２  ＣＰＵ
３１３  メモリ
３１４  ＩＯ部
３２  レイヤ２スイッチ
３３  入力振分部
４  ローカルＩＰ網
【図１】
2008311778.tif 000003
【図２】
2008311778.tif 000004
【図３】
2008311778.tif 000005
【図４】
2008311778.tif 000006
【図５】
2008311778.tif 000007